(57)【要約】【課題】レンガやブロック等（砂岩や安山岩などの石材も含む。）を母材として構築した組積造躯体を補強する方法を提供する。【解決手段】躯体の表層部近傍に生じた空隙へは安定で変質しにくい注入材料を充填し、躯体内部に生じた空隙へは前記注入材料を躯体表層部の目止め材に利用して充填性が高い注入材料を充填する。【選択図】図１
2004353286.tif 000002
【特許請求の範囲】
【請求項１】
レンガやブロック等を母材として構築された組積造躯体の補強方法であって、躯体の表層部近傍に生じた空隙へは安定で変質しにくい注入材料を充填し、躯体内部に生じた空隙へは前記注入材料を躯体表層部の目止め材に利用して充填性が高い注入材料を充填することを特徴とする、組積造躯体の補強方法。
【請求項２】
レンガやブロック等を母材として構築された組積造躯体の補強方法であって、躯体の表層部近傍に生じた空隙へは無機系注入材料を充填し、躯体内部に生じた空隙へは前記無機系注入材料を躯体表層部の目止め材に利用して有機系注入材料を充填することを特徴とする、組積造躯体の補強方法。
【請求項３】
安定で変質しにくい注入材料又は無機系注入材料の充填工程は、躯体の外壁面から施工し、充填性が高い注入材料又は有機系注入材料の充填工程は、内壁面から施工することを特徴とする、請求項１又は２に記載した組積造躯体の補強方法。
【請求項４】
充填性が高い注入材料又は有機系注入材料は、充填する部位によって粘度を調整することを特徴とする、請求項１〜３のいずれか一に記載した組積造躯体の補強方法。
【請求項５】
安定で変質しにくい注入材料又は無機系注入材料の充填工程は、組積造躯体の建具を取り外し、該建具を取り外すことにより現れた空隙に安定で変質しにくい注入材料又は無機系注入材料を充填し硬化させ、その後、補修した又は新たな建具を躯体へ組み戻すことを特徴とする、請求項１〜３のいずれか一に記載した組積造躯体の補強方法。
【請求項６】
安定で変質しにくい注入材料又は無機系注入材料の充填工程は、空隙亀裂が生じた外壁面・内壁面の母材、及びその周辺の母材を躯体から取り外すこと、
前記母材を取り外すことにより現れた空隙に沿って複数個の孔を掘削し、該掘削孔へ充填用ノズルを差し込むこと、
前記ノズルの周辺及び当該空隙の開口部を目止め材で塞ぎ、安定で変質しにくい注入材料又は無機系注入材料を充填し硬化させ、その後、取り外した母材を躯体へ組み戻すことを特徴とする、請求項１〜３のいずれか一に記載した組積造躯体の補強方法。
【発明の詳細な説明】
【０００１】
【発明の属する技術分野】
この発明は、レンガやブロック等（砂岩や安山岩などの石材も含む。）を母材として構築した組積造躯体を補強する方法の技術分野に属し、特に歴史的な建造物で老朽化した躯体表層部の意匠性に影響を与えない補強方法に関する。
【０００２】
【従来の技術】
従来、老朽化した組積造躯体（以下、単に躯体という場合がある。）などを補強する方法としては、以下の（ｉ）〜（ｉｉｉ）の技術が公知である。
【０００３】
（ｉ）躯体に生じた空隙へセメントスラリー等の無機系注入材料を充填して躯体を補強する方法。具体的には、躯体表層部に生じた空隙に沿って複数個の孔を掘削し、その掘削孔へホース等の充填用ノズルを差し込む。前記充填用ノズルの周辺及び当該空隙の開口部を目止め材で塞ぎ、同充填用ノズルから無機系注入材料を充填し硬化させる。この補強方法は温度等に影響を受けない無機系注入材料を使用するので、長期的に安定した補強効果を発揮できる長所を有する。しかも躯体表層部に付着しても簡単に洗い流せるので、施工性が良い。
【０００４】
（ｉｉ）躯体に生じた空隙へエポキシ樹脂等の有機系注入材料を充填して躯体を補強する方法。例えば、特許文献１には、有機系注入材料の充填用プラグを差し込むための複数個の孔を躯体に掘削し、その掘削孔へ有機系注入材料の充填用プラグを差し込み固定し、前記充填用プラグを通じて有機系注入材料を充填し硬化させ、その後、躯体表面に突き出る充填用プラグの突出部を撤去し、掘削孔内に固定した充填用プラグの差し込み部を埋め殺す補強方法が開示されている。この補強方法は、粘性体である有機系注入材料を使用するので、空隙の隅々まで充填することができ、精度の高い補強を施すことができる長所を有する。しかも充填用プラグを躯体内に埋め殺すので、有機系注入材料の充填と共に当該充填用プラグを補強用アンカーとして躯体内に設置することができる。
【０００５】
（ｉｉｉ）躯体に鋼棒等を埋め込み躯体を補強する方法。例えば、特許文献２には、レンガ壁体の内側面に孔を掘削し、その掘削孔へプライマーを充填した後に鉄筋を挿入し、該掘削孔の入口をレンガ粉により修正する補強方法が開示されている。具体的には、上記掘削孔は亀裂を挟む両側に配置し、レンガ壁体の厚さ方向略中央部で、亀裂の断面と交差するように掘削している。その中に鉄筋を挿入しプライマーで定着している。この補強方法は、レンガ壁体の内側面から施工しているので、レンガ壁体の外観の意匠性を健全に保つことができる長所を有する。
【０００６】
【特許文献１】
特開２００２−２４２４４６号公報
【特許文献２】
特開平７−２１７２２５号公報
【０００７】
【本発明が解決しようとする課題】
上記（ｉ）の補強方法は、通例粒子（セメント類）と水が混在した状態の無機系注入材料を空隙へ充填するため、不連続又は微細な空隙では、狭隘な部分を通過する際に圧力の上昇などの要因で水のみが周辺に吸収され、残された粒子が堆積し目詰まりが生じる。したがって、空隙の隅々まで無機系注入材料を充填することは期待できず、精度の高い補強方法とは云えない。
また、上記目止め材が躯体表層部に残り、意匠性が損なわれる問題点がある。
【０００８】
上記（ｉｉ）の補強方法に使用するエポキシ樹脂等の有機系注入材料は、紫外線や、温度変化で劣化するので、躯体の表層部近傍の補強に適さない。しかも、躯体表層部に有機系注入材料が付着すると、除去が面倒で、躯体表層部の意匠性を損なう虞があり、特に歴史的な建造物の補強には適さない。
充填する部位によって有機系注入材料の粘度を調整することは行われていない。
【０００９】
上記（ｉｉｉ）の補強方法は、交差する鉄筋相互をしっかりと一体化させないと適当な強度が発現しないので、比較的長い鉄筋を使用する。すなわち、当該鉄筋を挿入する孔を深く掘削する必要があり、機材が大型化し施工性が悪い問題点がある。
【００１０】
本発明の目的は、躯体の表層部近傍に生じた空隙へは安定で変質しにくい注入材料、例えば無機系注入材料を充填し、躯体内部に生じた空隙へは充填性が高い注入材料、例えば有機系注入材料を充填することで、躯体表層部の意匠性を健全に保つと共に、該躯体に精度の高い補強を施すことができる組積造躯体の補強方法を提供することである。
【００１１】
本発明の次の目的は、施工性の良い組積造躯体の補強方法を提供することである。
【００１２】
【課題を解決するための手段】
上記従来技術の課題を解決するための手段として、請求項１に記載した発明に係る組積造躯体の補強方法は、
レンガやブロック等を母材として構築された組積造躯体の補強方法であって、
躯体の表層部近傍に生じた空隙へは安定で変質しにくい注入材料を充填し、躯体内部に生じた空隙へは前記注入材料を躯体表層部の目止め材に利用して充填性が高い注入材料を充填することを特徴とする。
【００１３】
請求項２に記載した発明に係る組積造躯体の補強方法は、
レンガやブロック等を母材として構築された組積造躯体の補強方法であって、
躯体の表層部近傍に生じた空隙へは無機系注入材料を充填し、躯体内部に生じた空隙へは前記無機系注入材料を躯体表層部の目止め材に利用して有機系注入材料を充填することを特徴とする。
【００１４】
請求項３記載の発明は、請求項１又は２に記載した組積造躯体の補強方法において、
安定で変質しにくい注入材料又は無機系注入材料の充填工程は、躯体の外壁面から施工し、充填性が高い注入材料又は有機系注入材料の充填工程は、内壁面から施工することを特徴とする。
【００１５】
請求項４記載の発明は、請求項１〜３のいずれか一に記載した組積造躯体の補強方法において、
充填性が高い注入材料又は有機系注入材料は、充填する部位によって粘度を調整することを特徴とする。
【００１６】
請求項５記載の発明は、請求項１〜３のいずれか一に記載した組積造躯体の補強方法において、
安定で変質しにくい注入材料又は無機系注入材料の充填工程は、組積造躯体の建具を取り外し、該建具を取り外すことにより現れた空隙に安定で変質しにくい注入材料又は無機系注入材料を充填し硬化させ、その後、補修した又は新たな建具を躯体へ組み戻すことを特徴とする。
【００１７】
請求項６記載の発明は、請求項１〜３のいずれか一に記載した組積造躯体の補強方法において、
安定で変質しにくい注入材料又は無機系注入材料の充填工程は、空隙亀裂が生じた外壁面・内壁面の母材、及びその周辺の母材を躯体から取り外すこと、
前記母材を取り外すことにより現れた空隙に沿って複数個の孔を掘削し、該掘削孔へ充填用ノズルを差し込むこと、
前記ノズルの周辺及び当該空隙の開口部を目止め材で塞ぎ、安定で変質しにくい注入材料又は無機系注入材料を充填し硬化させ、その後、取り外した母材を躯体へ組み戻すことを特徴とする。
【００１８】
【本発明の実施形態、及び実施例】
以下に、請求項１〜６に記載した発明に係る組積造躯体の補強方法の実施形態を、図１〜図５に基づいて説明する。
【００１９】
本発明の補強方法は、一例としてレンガ１を母材として構築された老朽化した歴史的な建造物２の躯体３に実施される。
【００２０】
先ず、前記建造物２の躯体３の表層部近傍に生じた空隙４ａへは、安定で変質しにくい注入材料、例えばセメントスラリー等の無機系注入材料５（以下、無機系注入材料等５と省略する。）を充填する。
【００２１】
具体的には、前記建造物２の躯体３から、傷んだ建具６（一例として窓枠）を交換するために取り外す。前記建具６を取り外すことにより現れた空隙４ａへ、鏝等を用いて無機系注入材料等５を塗り込み充填する。前記無機系注入材料等５を硬化させた後に、補修した又は新しい建具を組み戻す（図１を参照、請求項５記載の発明）。なお、建具６近傍の空隙４ａへ充填する無機系注入材料等５としては、養生期間中に垂れ落ちたりすることを防ぐために粘度のあるモルタル等を使用する。
【００２２】
建造物２の躯体３の内側又は外側の表層部近傍に生じた空隙４ａは、図２に示すように、その末端の亀裂が躯体３の外壁面及び内壁面まで達していることが多いので、目視により空隙４ａの亀裂が現れている箇所を確認する。前記空隙４ａの亀裂が現れている箇所のレンガ１ａ、及びその周辺のレンガ１ｂを、図３に示すように躯体３から取り外し、前記レンガ１ａ、１ｂを取り外すことにより現れた空隙４ａに沿って複数個（図３では２個）の孔７…を掘削し、該掘削孔７へ無機系注入材料等５の充填用ノズル８を差し込む。前記充填用ノズル８の周辺及び当該空隙４ａの開口部を目止め材９で塞ぎ、無機系注入材料等５を空隙４ａへ注入して充填し硬化させる。その後、取り外したレンガ１ａ、１ｂを躯体３へ組み戻し、元の状態に復元する（請求項６記載の発明）。したがって、目止め材９は組み戻したレンガ１ａと１ｂに隠れ躯体の外壁面及び内壁面に現れることがなく、該躯体表層部の意匠性を健全に保つことができる。
【００２３】
次に、上記無機系注入材料等５を躯体表層部の目止め材に利用し、建造物２の躯体３の内部に生じた空隙４ｂに充填性が高い（良好な）注入材料、例えばエポキシ樹脂等の有機系注入材料１０（以下、有機系注入材料等１０と省略する。）を充填する。本実施形態の有機系注入材料等１０の充填工程は、上記特許文献１に記載の脆性構築体用の高圧注入器具と漏斗治具を使用し、それを用いた高圧注入工法によって施工する。なお、前記充填工程は、躯体３の外観の意匠性をより健全に保つために、躯体３の内壁面から施工する（請求項３記載の発明）。
【００２４】
具体的には、躯体３の内壁面から、有機系注入材料等１０の充填用プラグ１１（高圧注入器具）を差し込むための複数個の孔１２…を、水平目地１３の位置から他の複数本（図１では３本）の水平目地１３…を跨ぐように下方へ傾斜させて、躯体３に掘削する。なお、前記掘削孔１２の配置や個数は、サンプリング試験を実施することにより決定する。本実施形態では、図４に示すように略正三角形状の頂部位置に配置され、その一辺の長さＬは２６０ｍｍ程度とされている。そして、前記掘削孔１２の深さＴ（図１を参照）は躯体３の厚さ方向の略中間位置まで到達する６００ｍｍ程度とされている。
【００２５】
上記有機系注入材料等１０の充填用プラグ１１は、図５に示すようにバルブ部１１ａとパイプ部１１ｂと継手部１１ｃとで構成している。ちなみに、前記充填用プラグ１１の長さＭは３３０ｍｍ程度とされている。
【００２６】
前記パイプ部１１ｂの先端部には、その外周と掘削孔１２の内周との隙間を埋めるスポンジ製のシール材１４を設け、他端部には漏斗型に形成したゴム製のガイドキャップ１５（漏斗治具）を設けている。
【００２７】
前記ガイドキャップ１５は、その内周先端部に設けた嵌合部１５ａをパイプ部１１ｂの外周に沿って形成した溝部１１ｄへ嵌め込んで固定し、上記充填用プラグ１１は当該ガイドキャップ１５で掘削孔１２の開口部をしっかりと塞ぐように差し込む。その結果、前記充填用プラグ１１の先端（バルブ部）は、掘削孔１２の略中間位置（深さ３００ｍｍ程度）に到達する。
【００２８】
また、前記ガイドキャップ１５は、プラグ固定用の有機系注入材料等１０’を充填するノズル１６の挿入孔１５ｂを有しており、その挿入孔１５ｂへ前記ノズル１６を差し込む。そして、上記充填用プラグ１１のシール材１４の後方で形成されたパイプ部１１ｂの外周と掘削孔１２の内周との隙間１７へ有機系注入材料等１０’を注入し充填する。このとき、前記シール材１４は、充填した有機系注入材料等１０’がバルブ部１１ａ周辺に滲入することを防ぎ、前記バルブ部１１ａの目詰まりを防ぐことができる。
【００２９】
上記の充填工程は挿入口１５ｂから有機系注入材料等１０’が溢れるまで行い、その後、前記有機系注入材料等１０’を硬化させ上記充填用プラグ１１を掘削孔１２内へ固定する。前記充填用プラグ１１は掘削孔１２内へ強固に固定されるので、高圧で有機系注入材料等１０を注入し充填した際に当該充填用プラグ１１が掘削孔１２から抜け出たり、不安定になることがない。また、掘削孔１２は有機系注入材料等１０’により塞がっているので、躯体内部へ充填した有機系注入材料等１０が掘削孔１２から逆流し、躯体３の内壁面に溢れ出すことがない。前記充填用プラグ１１は、充填工程時にシール材１４及びガイドキャップ１５によって、掘削孔１２内へしっかり固定され安定しているので、上記充填用プラグ１１の固定作業が簡易である。
【００３０】
前記充填用プラグ１１は掘削孔１２内へ固定するので、プラグ固定用の有機系注入材料等１０’が躯体３の内壁面に付着することがほとんどない。特にガイドキャップ１５の口部１５ｃが躯体３の内壁面から離れているので、充填工程時に前記ガイドキャップ１５の口部１５ｃから有機系注入材料等１０’が垂れ落ちても、躯体３の内壁面に付着することがない。そのため躯体表層部の意匠性を健全に保つことができる。
【００３１】
前記充填用プラグ１１の継手部１１ｃに、高圧ポンプ１８から有機系注入材料等１０を充填用プラグ１１へ供給する供給管１９を連結し、有機系注入材料等１０をバルブ部１１ａから躯体３の内部へ注入し充填する。具体的には、取り外さなかった建具６近傍に生じた空隙４ｂから、注入した有機系注入材料等１０が溢れ出さないように、先にその周辺へ、詳細は後述するが高粘度の有機系注入材料等１０を注入し、当該取り外さなかった建具６近傍に生じた空隙４ｂに充填する。その後、前記先に充填し硬化させた有機系注入材料等１０と無機系注入材料等５を目止め材に利用してその他の箇所へ有機系注入材料等１０を注入し充填する。
【００３２】
充填した有機系注入材料等１０は、上記充填用プラグ１１やそのシール材１４等に反力を取りながら、微細な空隙を伝って躯体３の内部の空隙４ｂへ充填される。なお、歴史的な建造物の母材とされるレンガは、吸水率が高いので、本実施形態では中・高粘度の有機系注入材料等を使用する。このとき、建具６近傍に生じた空隙４ｂへ充填する有機系注入材料等１０は、該空隙４ｂから有機系注入材料等１０が溢れ出し建具６へ垂れないように、高粘度の有機系注入材料等を使用する。その他の空隙４ｂへ充填する有機系注入材料等１０は、空隙４ｂの隅々まで充填し易いように中粘度の有機系注入材料等を使用する。つまり、充填する部位によって有機系注入材料等１０の粘度を調整するのである（請求項４記載の発明）。したがって、有機系注入材料等１０がレンガに吸収されることがほとんどなく、隣接するレンガ同士のつなぎ材として、確実に機能する。しかも、充填する部位によって有機系注入材料等１０の粘度を調整するので、躯体表層部の意匠性の健全化と、充填作業の簡易性とを両立することができる。
【００３３】
前記中・高粘度の有機系注入材料等１０を充填できるように、上記高圧ポンプ１８には高い圧送能力を有するものを使用する。本実施形態では、一例として特開平１１−３２５３９１号公報に記載の高圧ポンプ（最大圧送能力９．８Ｍｐａ）を使用する。
【００３４】
上記充填する有機系注入材料等１０の容量は、サンプリング試験により概ね定められており、上記有機系注入材料等１０が空隙４ｂに充填されたか否かは、前記容量と、高圧ポンプ１８の圧送速度等から判断し、最終的に微細な空隙を伝って躯体表層部まで溢れ出てきた時点で終了する。このとき、有機系注入材料等１０が躯体表層部に溢れ出ても、前記有機系注入材料等１０は粘度があるので垂れ落ちない。そのため、溢れ出した有機系注入材料等１０を直ぐ除去すれば、該有機系注入材料等１０が躯体表層部に付着して残ることがなく、意匠性を健全に保つことができる。
【００３５】
充填終了後、掘削孔１２から突出する充填用プラグ１１の突出部をハンマー等で叩いて、そのパイプ部１１ｂに形成した溝部１１ｄをねじ折り、前記突出部を成すパイプ部１１ｂの端部とガイドキャップ１５及び継手部１１ｃを撤去する。このとき、掘削孔１２の開口部と充填用プラグ１１との間にガイドキャップ１５が配置されているので、前記開口部の端部が欠損したりすることを防ぐことができ、やはり躯体表層部の意匠性を健全に保つことができる。
【００３６】
最後に、前記掘削孔１２の開口部は無機系注入材料等で塞ぎ、該掘削孔１２内に固定した充填用プラグ１１の差し込み部を埋め殺すと、補強作業が完了する。そのため、充填用プラグ１１の撤去がほとんど必要なく、施工性が良い。また、プラグ固定用の有機系注入材料等１０’及び充填用プラグ１１をそのまま補強手段として利用することができる。
【００３７】
上記補強方法は、躯体表層部の空隙４ａへ無機系注入材料等５を充填して補強するので、躯体３の通気性能や吸湿保湿性能を阻害することがない。そして、躯体内部の空隙４ｂへ有機系注入材料等１０を充填するので、前記空隙４ｂだけでなく、無機系注入材料等５を完全に充填することができずに残った空隙にも有機系注入材料等１０を充填することができ、精度の高い躯体補強を施すことができる。
【００３８】
なお、上記実施形態はレンガ１を母材とする歴史的な建造物２について説明したが、この限りでない。比較的吸水率が高い砂岩や安山岩などの石材ブロックを母材とする組積造躯体でも同様に実施できる。
【００３９】
また、本実施形態では、有機系注入材料等１０を充填するための孔１２を一辺が２６０ｍｍ程度の正三角形状の頂点位置に配置したが、この限りでない。格子状などに配置しても良く、その一辺の長さもサンプリング試験によって決定する。また、その深さは、躯体の厚み等によって適宜変更する。
【００４０】
更に、上記実施形態では、無機系注入材料等５の充填工程を躯体３の内壁面及び外壁面から施工したが、該躯体３の内観の意匠性が要求されない場合は、躯体３の外壁面のみに施工しても良い。
【００４１】
【本発明の奏する効果】
請求項１〜６に記載した発明に係る組積造躯体の補強方法は、躯体の表層部近傍に生じた空隙へ安定で変質しにくい注入材料、例えば無機系注入材料を充填し、該注入材料を躯体表層部の目止め材として利用し、躯体内部に生じた空隙へ充填性が高い注入材料、例えば有機系注入材料を充填するので、有機系注入材料等が躯体表層部に付着することがほとんどなく、意匠性を健全に保つことができる。しかも付着した有機系注入材料等の除去作業がほとんど必要なく、施工性が良い。
【００４２】
また、躯体内部の空隙だけでなく、無機系注入材料等を完全に充填することができずに残った空隙にも有機系注入材料等を充填することができ、精度の高い躯体補強を施すことができる。
【００４３】
充填する部位によって有機系注入材料等の粘度を調整しているので、躯体表層部から垂れ落ちることを防ぐと共に、空隙の隅々まで有機系注入材料等を充填することができる。
【図面の簡単な説明】
【図１】本発明に係る組積造躯体の補強方法の実施形態を概念的に示した断面図である。
【図２】躯体表層部に現れた空隙を概念的に示した図である。
【図３】無機系注入材料等の充填工程を概念的に示した図である。
【図４】有機系注入材料等の充填用プラグを差し込む孔の配置を示した図である。
【図５】掘削孔へ差し込み固定した有機系注入材料等の充填用プラグを示した図である。
【符号の説明】
１            レンガ
２            建造物
３            躯体
４ａ、４ｂ    空隙
５            無機系注入材料等
６            建具
７            掘削孔
８            充填用ノズル
９            目止め材
１０          有機系注入材料等
【図１】
2004353286.tif 000003
【図２】
2004353286.tif 000004
【図３】
2004353286.tif 000005
【図４】
2004353286.tif 000006
【図５】
2004353286.tif 000007